(57)【要約】【課題】生体認証において、生体情報を読み取る際のオリジナルの生体情報の盗難を防ぐ。【解決手段】生体情報を変更後情報へ、生体情報の集合から変更後情報の集合への写像が全射となる変更を行う変更部と、生体情報を読み取る装置へ変更後情報を出力する出力部とを備え、変更後情報の集合の要素の数は複数であることを特徴とする生体情報変更フィルタにより、生体情報を変更する。【選択図】      図１
2020170548.tif 000002
【特許請求の範囲】
【請求項１】
生体情報読取装置が人体から読み取る生体情報を変更するための生体情報変更部材であって、
当該生体情報変更部材を介して、前記生体情報読取装置に前記生体情報の少なくとも一部を読み取らせない第１の状態と、
当該生体情報変更部材を介して、前記生体情報読取装置に前記生体情報の全部を読み取らせる第２の状態とを切り替え可能である
生体情報変更部材。
【請求項２】
前記生体情報は、電磁波を受光するカメラで撮影される画像情報であり、
前記生体情報読取装置は前記カメラである
請求項１に記載の生体情報変更部材。
【請求項３】
生体情報読取装置が人体から読み取る生体情報を変更するための生体情報変更部材における生体情報変更方法であって、
当該生体情報変更部材を介して、前記生体情報読取装置に前記生体情報の少なくとも一部を読み取らせない第１の状態と、
当該生体情報変更部材を介して、前記生体情報読取装置に前記生体情報の全部を読み取らせる第２の状態とを切り替え可能である
生体情報変更方法。
【請求項４】
前記生体情報は、電磁波を受光するカメラで撮影される画像情報であり、
前記生体情報読取装置は前記カメラである
請求項３に記載の生体情報変更方法。
【請求項５】
生体情報読取装置が人体から読み取る生体情報を変更するための生体情報変更部材に関し、
コンピュータに、
当該生体情報変更部材を介して、前記生体情報読取装置に前記生体情報の少なくとも一部を読み取らせない第１の状態と、
当該生体情報変更部材を介して、前記生体情報読取装置に前記生体情報の全部を読み取らせる第２の状態とを切り替える機能
を実現させる生体情報変更プログラム。
【請求項６】
前記生体情報は、電磁波を受光するカメラで撮影される画像情報であり、
前記生体情報読取装置は前記カメラである
請求項５に記載の生体情報変更プログラム。
【発明の詳細な説明】
【技術分野】
【０００１】
本発明は、生体認証において、生体情報を読み取る際のオリジナルの生体情報の盗難を防ぐ、生体情報変更フィルタ、プログラムおよび生体認証方法に関する。
【背景技術】
【０００２】
生体情報を用いて認証を行う生体認証には、高い精度での本人確認が可能であり、また、紛失リスクがないというメリットがある。
【０００３】
しかし、生体情報自体は変更することがほぼ不可能である。一般的な生体認証では、生体情報を読み取る生体情報読取装置に指、眼球等の人体部位をかざして生体情報を読み取らせる。その際、銀行のＡＴＭ（Automated Teller Machine）におけるキャッシュカードのスキミングと同様に、悪意のある生体情報読取装置に生体情報を盗み取られてしまう可能性がある。生体情報を盗難された場合、生体情報は変更がほぼ不可能なため、その生体情報を用いた生体認証の利用が困難になってしまう。
【０００４】
生体情報の盗難による不正認証を防ぐ方法として、特許文献１に記載の方法では、生体情報を加工して生体情報読取装置に表示している。この方法では、加工した生体情報を生体情報読取装置に表示するため、表示画面から生体情報を盗み取られても、盗み取った生体情報で認証を行うことができず、不正認証を防ぐことができる。
【０００５】
また、特許文献２に記載の方法では、生体情報を加工したテンプレートを基に認証を行っている。この方法では、生体認証装置からテンプレートを盗み取られても、オリジナルの生体情報とは異なるため、テンプレートを変更することで、不正認証を防ぐことができる。
【先行技術文献】
【特許文献】
【０００６】
【特許文献１】特開２００８−０４６６７７号公報
【特許文献２】特開２００７−２９３８０７号公報
【発明の概要】
【発明が解決しようとする課題】
【０００７】
しかし、特許文献１あるいは特許文献２に記載の方法では、生体情報読取装置が読み取る生体情報はオリジナルの生体情報である。そのため、上述のように、悪意のある生体情報読取装置に、オリジナルの生体情報を盗み取られてしまう可能性がある。オリジナルの生体情報を盗難されてしまうと、生体情報を偽造することで不正認証が可能となってしまい、また、オリジナルの生体情報の変更はほぼ不可能なため、その後、盗難された生体情報を用いた生体認証の利用が困難になってしまう。
【０００８】
本発明の目的は、生体認証において、生体情報を読み取る際のオリジナルの生体情報の盗難を防ぐ、生体情報変更フィルタ、プログラムおよび生体認証方法を提供することにある。
【課題を解決するための手段】
【０００９】
上述の問題を解決するために、本発明の生体情報変更フィルタは、生体情報を変更後情報へ、前記生体情報の集合から前記変更後情報の集合への写像が全射となる変更を行う変更部と、前記生体情報を読み取る装置へ前記変更後情報を出力する出力部とを備え、前記変更後情報の集合の要素の数は複数であることを特徴とする。
【００１０】
また、本発明の生体情報変更プログラムは、コンピュータに、生体情報を読み取る読取機能と、前記生体情報を変更後情報へ、前記生体情報の集合から前記変更後情報の集合への写像が全射となる変更を行う変更機能と、前記変更後情報を出力する出力機能とを実現させ、前記変更後情報の集合の要素の数は複数であることを特徴とする。
【発明の効果】
【００１１】
本発明の生体情報変更フィルタ、プログラムおよび生体認証方法により、生体認証において、生体情報を読み取る際のオリジナルの生体情報の盗難を防ぐことが可能になる。
【図面の簡単な説明】
【００１２】
【図１】本発明の第一および第二の実施形態の生体情報変更フィルタの構成例を示す図である。
【図２】本発明の第一および第二の実施形態の生体情報変更フィルタの動作例を示す図である。
【図３】本発明の第二の実施形態の生体認証システムの構成例を示す図である。
【図４】本発明の第二の実施形態の生体認証システムの構成例を示す図である。
【図５】本発明の第二の実施形態の生体認証システムの構成要素の例を示す図である。
【図６】本発明の第二の実施形態の生体情報変更フィルタの具体例を示す図である。
【図７】生体情報読取装置の読取情報の例を示す図である。
【図８】本発明の第二の実施形態の生体情報読取装置の読取情報の例を示す図である。
【図９】本発明の第二の実施形態の生体認証装置の動作例を示す図である。
【図１０】本発明の第三の実施形態の生体情報変更フィルタの構成例を示す図である。
【図１１】本発明の第三の実施形態の生体情報変更フィルタの構成要素の例を示す図である。
【図１２】本発明の第三の実施形態の生体情報変更フィルタの構成要素の例を示す図である。
【図１３】本発明の第三の実施形態の生体情報変更フィルタの動作例を示す図である。
【発明を実施するための形態】
【００１３】
［第一の実施形態］
本発明の第一の実施の形態について説明する。
【００１４】
図１に本実施形態の生体情報変更フィルタ１０の構成例を示す。
【００１５】
生体情報変更フィルタ１０は、変更部１１および出力部１２により構成される。
【００１６】
変更部１１は、生体情報を変更後情報へ、生体情報の集合から変更後情報の集合への写像が全射となる変更を行う部分である。なお、変更後情報の集合の要素の数は複数である。
【００１７】
出力部１２は、生体情報を読み取る装置へ変更後情報を出力する部分である。
【００１８】
このように生体情報変更フィルタ１０を構成することによって、生体情報を読み取る装置が生体情報を読み取る際のオリジナルの生体情報の盗難を防ぐことが可能になる。
【００１９】
次に、図２に本実施形態の生体情報変更フィルタ１０の動作の例を示す。
【００２０】
生体情報変更フィルタ１０は、生体情報を変更後情報へ、生体情報の集合から変更後情報の集合への写像が全射となる変更を行う（ステップＳ１０１）。
【００２１】
そして、生体情報を読み取る装置へ変更後情報を出力する（ステップＳ１０２）。
【００２２】
このように生体情報変更フィルタ１０を動作させることによって、生体情報を読み取る装置が生体情報を読み取る際のオリジナルの生体情報の盗難を防ぐことが可能になる。
【００２３】
以上で説明したように、本発明の第一の実施形態では、生体情報変更フィルタが、生体情報を読み取る装置が読み取る生体情報を変更する。そのため、生体認証において、生体情報を読み取る際のオリジナルの生体情報の盗難を防ぐことが可能になる。
【００２４】
また、悪意のある生体情報読取装置が生体情報（変更後情報）を盗み取ったとしても、生体情報変更フィルタの変更方法を更新することで、生体情報の盗難による不正認証を防ぐことが可能になる。
【００２５】
［第二の実施形態］
次に、本発明の第二の実施の形態について説明する。
【００２６】
本実施形態の生体情報変更フィルタ１０の構成例および動作例は、第一の実施形態（図１、図２）と同様である。
【００２７】
本実施形態では、第一の実施形態の生体情報変更フィルタ１０について、生体情報が指静脈画像である場合を例に、具体的に説明する。
【００２８】
図３に本実施形態の生体認証システムのシステム構成例を示す。本システム構成例は、生体情報変更フィルタ１０、生体情報読取装置３０および生体認証装置４０により構成される。銀行のＡＴＭの場合、生体情報読取装置３０はＡＴＭ端末、生体認証装置４０はＡＴＭ端末で取得した生体情報の認証を行う装置に該当し、生体情報読取装置３０は一台の生体認証装置４０に対して複数存在することが可能である。
【００２９】
生体情報変更フィルタ１０は、生体認証を利用する個人が保有管理する。たとえば、生体認証を利用する前に、あらかじめ、銀行等で発行を受けて利用者が所持しておく。
【００３０】
生体情報読取装置３０は、読取部３１および読取情報出力部３２により構成される。
【００３１】
読取部３１は、生体情報変更フィルタ１０で変更された変更後情報を読み取る部分である。読取部３１では、生体情報変更フィルタ１０を設置しなければ、オリジナルの生体情報を読み取ることが可能である。
【００３２】
読取情報出力部３２は、読取部３１で読み取った変更後情報を出力する部分である。図３のシステム構成例の場合、変更後情報を生体認証装置４０へ出力する。
【００３３】
生体認証装置４０は、照合部４３および照合結果出力部４４により構成される。
【００３４】
照合部４３は、生体情報変更フィルタ１０で変更された変更後情報と、あらかじめ取得しておいた照合用生体情報とを照合する部分である。照合用生体情報は、あらかじめ、生体認証装置４０に記憶しておく。たとえば、利用者個人が銀行等で生体情報変更フィルタ１０の発行を受ける際に、生体情報登録用の生体情報読取装置と生体情報変更フィルタ１０を使用して照合用生体情報を取得し、生体認証装置４０に記憶させておく。
【００３５】
照合結果出力部４４は、照合部４３での照合の結果を出力する部分である。たとえば、照合の結果を生体情報読取装置３０へ出力し、生体情報読取装置３０上に照合の結果を出力させることが可能である。
【００３６】
また、本実施形態の生体認証システムは、図４のように、生体情報読取装置３０と生体認証装置４０を一体化し、生体認証装置５０内に読取部５１を持たせることも可能である。
【００３７】
次に、図５に本実施形態の生体認証システムの構成要素の例を示す。生体情報読取装置３０は、赤外線ランプ、赤外線カメラおよび位置決め板により構成される。生体情報読取装置３０は、生体情報を読み取る対象である指に対して、赤外線ランプで赤外線を照射し、透過した赤外線を赤外線カメラで読み取ることで、指静脈画像を取得する。指静脈部分は赤外線を透過しないため、赤外線を指に照射して透過した赤外線を赤外線カメラで読み取ることで、指静脈画像を取得することができる。位置決め板は、生体情報変更フィルタ１０と指の位置を固定するために用いられる。生体情報変更フィルタ１０は、生体情報を読み取らせる人体部位（本実施形態の場合は指）と生体情報読取装置３０との間に設置する。
【００３８】
なお、赤外線を照射して手のひらの静脈画像等、指静脈以外の生体情報を取得する場合や、可視光線などの赤外線以外の電磁波を透過させて生体情報の画像を取得する場合であっても、同様の構成要素により、本実施形態の生体認証システムを構成可能である。
【００３９】
次に、図６に、図５の生体認証システムの例における、生体情報変更フィルタ１０の具体例を示す。生体情報変更フィルタ１０は、透過領域、非透過領域および変更要素により構成される。
【００４０】
透過領域は、赤外線ランプから照射された赤外線を透過させる領域である。非透過領域は、赤外線を遮断する領域であり、生体情報の盗難保護を目的に、個人を識別するために最低限必要な生体情報のみを赤外線カメラに読み取らせ、過剰な生体情報の読み取りを防ぐ機能を持つ。変更要素は、読み取らせる生体情報をオリジナルの情報から変更する機能を持ち、指静脈部分をオリジナルの指静脈画像に追加する。
【００４１】
透過領域は、アクリルやプラスチックのような赤外線を透過する素材、非透過領域および変更要素は、赤外線を遮断する性質を持つ顔料等の素材により実現することができる。また、電圧印加によって赤外線の透過と非透過を切り替える液晶パネルにより透過領域と非透過領域を実現することも可能である。
【００４２】
生体情報変更フィルタ１０を用いないで生体情報読取装置３０が生体情報を読み取った場合、図７のようにオリジナルの生体情報と生体情報読取装置３０が読み取った生体情報は同じとなる。つまり、悪意がある生体情報読取装置が設置されていた場合、盗難される生体情報はオリジナルの生体情報となる。
【００４３】
しかし、図６のような生体情報変更フィルタ１０を用いると、生体情報読取装置３０が読み取る生体情報は、図８のように、オリジナルの生体情報に対して、非透過領域の生体情報をマスクし、変更要素を追加した生体情報（変更後情報）となる。悪意のある生体情報読取装置が設置されていて生体情報を盗み取られた場合でも、盗難される生体情報は、オリジナルの生体情報ではなく、変更後の生体情報となる。そのため、生体情報変更フィルタ１０の非透過領域や変更要素を変更した生体情報変更フィルタ１０を再発行することで、盗難された生体情報を偽造しての不正認証を防ぐことが可能になる。
【００４４】
次に、図２および図９を用いて、本実施形態の生体情報変更フィルタ１０、生体情報読取装置３０および生体認証装置４０の動作の例について説明する。
【００４５】
まず、生体情報読取装置３０は、読み取り対象の生体情報を読み取る。その際、生体情報変更フィルタ１０は、生体情報読取装置３０が読み取る生体情報を、オリジナルの生体情報から変更後情報へ変更する（図２のステップＳ１０１）。そして、変更後情報を生体情報読取装置３０へ出力する（ステップＳ１０２）。
【００４６】
生体情報変更フィルタ１０で変更された変更後情報を読み取った生体情報読取装置３０は、読み取った変更後情報を、生体認証装置４０へ出力する。
【００４７】
生体認証装置４０は、生体情報読取装置３０からの変更後情報の入力を受け付け（図９のステップＳ２０１）、あらかじめ記憶しておいた照合用生体情報とステップＳ２０１で入力された変更後情報とを照合する（ステップＳ２０２）。そして、照合の結果を、生体情報読取装置３０等へ出力する（ステップＳ２０３）。
【００４８】
このように生体情報変更フィルタ１０、生体情報読取装置３０および生体認証装置４０を動作させることによって、生体情報読取装置３０が読み取る生体情報をオリジナルの生体情報から変更する。そのため、生体情報を読み取る際のオリジナルの生体情報の盗難を防ぐことが可能になる。
【００４９】
なお、生体情報読取装置３０で読み取る生体情報については、電磁波を照射して取得する生体情報以外に、赤外線や可視光線などの電磁波を受光するカメラで撮影される、虹彩情報、顔情報、網膜情報、指紋情報などについても用いることが可能である。また、静電容量を計測することで読み取られる生体情報（指紋など）についても用いることが可能である。たとえば、これらの情報においても、人体部位と生体情報読取装置（カメラ等）の間に、生体情報の読み取り範囲を限定する生体情報変更フィルタを置くことで、読み取る生体情報を変更することが可能になる。
【００５０】
また、生体情報変更フィルタ１０で行う変更については、オリジナルの生体情報の集合から変更後情報の集合への写像が全射となる変更を行う。オリジナルの生体情報と変更後情報が１対１（全単射）の場合、本人以外で認証が成功する可能性が最小となる。しかし、その場合、複雑な変更パターンを採用する必要があるため、本人以外で認証が成功する可能性がある程度低くなる範囲内で、１つの変換後情報に対してオリジナルの生体情報が複数対応するように変更を行っても良い。ただし、変更後情報の集合の要素の数が一つの場合、すべての変更後情報が同一となり、だれでも認証が成功する状態となるため、変更後情報の集合の要素の数は、最低限、複数である必要がある。
【００５１】
図６のように指静脈情報の読取範囲を限定する場合、オリジナルの生体情報に比べて、同じ変更後情報を持つ人物が存在する可能性が高くなる。しかし、指の太さを1cm、血管の太さを0.5mm、読み取りの精度を0.5mmと仮定すると、１か所の透過領域について血管1本が通る場所の組み合わせは20通り、血管が2本の場合は190通り（=(20*19)/2）となる。透過領域を複数個所とすることで、本人以外で認証が成功する可能性を低く抑えることが可能と考えられる。
【００５２】
なお、ここでの集合は、生体情報変更フィルタの発行を受けている人物についての集合を指すものとする。すなわち、変更後情報の集合は、生体情報変更フィルタの発行を受けている人物の生体情報を変更した変更後情報の集合であるため、変更後情報の集合の各要素は、必ずいずれかのオリジナルの生体情報に対応していることになる。
【００５３】
以上で説明したように、本発明の第二の実施形態では、第一の実施形態と同様に、生体情報変更フィルタが、生体情報を読み取る装置が読み取る生体情報を変更する。そのため、生体認証において、生体情報を読み取る際のオリジナルの生体情報の盗難を防ぐことが可能になる。
【００５４】
また、悪意のある生体情報読取装置が生体情報（変更後情報）を盗み取ったとしても、生体情報変更フィルタの変更方法を更新することで、生体情報の盗難による不正認証を防ぐことが可能になる。
【００５５】
［第三の実施形態］
次に、本発明の第三の実施の形態について説明する。
【００５６】
本実施形態は、生体情報変更フィルタを電子化した形態である。
【００５７】
図１０は、本実施形態の生体情報変更フィルタ２０の構成例である。
【００５８】
生体情報変更フィルタ２０は、読取部２３、変更部２１および出力部２２により構成される。
【００５９】
読取部２３は、生体情報を読み取る部分である。
【００６０】
変更部２１は、第一、第二の実施形態の変更部１１と同様に、生体情報を読み取る装置（生体情報読取装置３０や生体認証装置５０）が読み取る生体情報を変更後情報へ変更する部分である。変更部１１と異なる点は、読取部２３が読み取って電子化された生体情報に対して変更を行うため、コンピュータ処理により、より複雑な変更を行うことが可能になる点である。たとえば、読取部２３で読み取った生体情報を変換関数で変換して、元の生体情報と全く異なる画像を変更後情報とすることも可能である。また、変更方法を更新する場合には、変更部２１に記憶している変更方法を更新すれば良いため、変更方法の更新を容易に行うことが可能である。
【００６１】
出力部２２は、変更部２１で変更を行った変更後情報を、生体情報読取装置３０や生体認証装置５０に対して出力する部分である。
【００６２】
生体情報読取装置３０や生体認証装置５０の生体情報読取機能をそのまま使用する場合には、生体情報読取装置３０や生体認証装置５０で読み取り可能な形式にて出力する。たとえば、赤外線を透過させて指静脈を読み取る場合には、電圧印加により赤外線の透過と非透過を切り替えることが可能な液晶パネルにより構成された透過型ディスプレイに変更後情報を出力する。
【００６３】
生体情報変更フィルタ２０から生体情報読取装置３０や生体認証装置５０に情報を送信するインタフェースを設け、そのインタフェース経由で変更後情報を出力することも可能である。
【００６４】
このように生体情報変更フィルタ２０を構成することによって、生体情報を読み取る際のオリジナルの生体情報の盗難を防ぐことが可能になる。
【００６５】
図１１に、生体情報が指静脈情報である場合の、生体情報変更フィルタ２０の構成要素の例を示す。たとえば、生体情報変更フィルタ２０を読取部と透過型ディスプレイにより構成する。読取部は、図１０の読取部２３に該当し、指静脈情報を取得する部分、透過型ディスプレイは、図１０の出力部２２に該当し、変更後の生体情報を出力する部分である。このように構成すると、生体情報読取装置３０の赤外線ランプ、赤外線カメラを用いた読取機能はそのままで、変更後情報を読み取らせることが可能になる。
【００６６】
また、生体情報が電磁波をカメラで受光して撮影する画像情報（虹彩情報、顔情報、網膜情報、指紋情報など）である場合には、たとえば、図１２のように、生体情報変更フィルタ２０をカメラと電磁波を出力するディスプレイにより構成することが可能である。
【００６７】
次に、図１３を用いて、本実施形態の生体情報変更フィルタ２０の動作例について説明する。
【００６８】
まず、生体情報変更フィルタ２０の読取部２３は生体情報を読み取る（ステップＳ３０１）。次に、読取部２３で読み取った生体情報に変換関数や読取領域の限定等による変更を行い、変更後情報を生成する（ステップＳ３０２）。そして、変更後情報を出力する（ステップＳ３０３）。
【００６９】
このように生体情報変更フィルタ２０を動作させることによって、生体情報読取装置３０が読み取る生体情報をオリジナルの生体情報から変更するため、生体情報を読み取る際のオリジナルの生体情報の盗難を防ぐことが可能になる。
【００７０】
以上で説明したように、本発明の第三の実施形態でも、第一、第二の実施形態と同様に、生体情報変更フィルタが、生体情報を読み取る装置が読み取る生体情報を変更する。そのため、生体認証において、生体情報を読み取る際のオリジナルの生体情報の盗難を防ぐことが可能になる。
【００７１】
また、悪意のある生体情報読取装置が生体情報（変更後情報）を盗み取ったとしても、生体情報変更フィルタの変更方法を更新することで、生体情報の盗難による不正認証を防ぐことが可能になる。
【００７２】
また、さらに、本実施形態では、電子化された生体情報に対して変更を行うため、より複雑な変更を行うことが可能になる。また、変更方法の更新を容易に行うことが可能になる。
【００７３】
なお、上述する各実施の形態は、本発明の好適な実施の形態であり、本発明の要旨を逸脱しない範囲内において種々変更実施が可能である。
【００７４】
上記の実施形態の一部又は全部は、以下の付記のようにも記載されうるが、以下には限られない。
【００７５】
（付記１）
生体情報を変更後情報へ、前記生体情報の集合から前記変更後情報の集合への写像が全射となる変更を行う変更部と、
前記生体情報を読み取る装置へ前記変更後情報を出力する出力部と
を備え、
前記変更後情報の集合の要素の数は複数である
ことを特徴とする生体情報変更フィルタ。
【００７６】
（付記２）
前記変更部は、前記生体情報の読取範囲を限定する前記変更を行う
ことを特徴とする付記１に記載の生体情報変更フィルタ。
【００７７】
（付記３）
前記生体情報は、電磁波を前記人体部位に照射して前記電磁波の透過有無により取得される情報であり、
前記変更部は、前記電磁波を遮断する非透過部により前記読取範囲を限定する
ことを特徴とする付記２に記載の生体情報変更フィルタ。
【００７８】
（付記４）
前記非透過部は、前記電磁波を遮断する非透過素材により構成される
ことを特徴とする付記３に記載の生体情報変更フィルタ。
【００７９】
（付記５）
前記生体情報変更フィルタは、電圧印加の有無により前記電磁波の透過と非透過が切り替わる液晶パネルにより構成される
ことを特徴とする付記３に記載の生体情報変更フィルタ。
【００８０】
（付記６）
前記生体情報は、前記人体部位と前記装置との間の静電容量の大きさにより読み取られる情報である
ことを特徴とする付記１あるいは付記２に記載の生体情報変更フィルタ。
【００８１】
（付記７）
前記生体情報は、電磁波を受光するカメラで撮影される画像情報である
ことを特徴とする付記１あるいは付記２に記載の生体情報変更フィルタ。
【００８２】
（付記８）
前記生体情報変更フィルタは、さらに、
前記生体情報を読み取る読取部
を備え、
前記変更部は、前記読取部で読み取った前記生体情報を前記変更後情報へ変更する
ことを特徴とする付記１あるいは付記２に記載の生体情報変更フィルタ。
【００８３】
（付記９）
前記変更部は、前記読取部で読み取った前記生体情報を変更関数により変更する
ことを特徴とする付記８に記載の生体情報変更フィルタ。
【００８４】
（付記１０）
前記生体情報は、電磁波を前記人体部位に照射して前記電磁波の透過有無により取得される画像情報であり、
前記出力部は、電圧印加の有無により前記電磁波の透過と非透過が切り替わる液晶パネルにより構成された透過型ディスプレイに、前記変更後情報を出力する
ことを特徴とする付記８あるいは付記９に記載の生体情報変更フィルタ。
【００８５】
（付記１１）
前記生体情報は、電磁波を受光するカメラで撮影される画像情報であり、
前記出力部は、前記電磁波を出力するディスプレイに前記変更後情報を出力する
ことを特徴とする付記８あるいは付記９に記載の生体情報変更フィルタ。
【００８６】
（付記１２）
付記１から付記１１のいずれかに記載の生体情報変更フィルタで変更された前記変更後情報と、あらかじめ取得しておいた照合用生体情報とを照合する照合部と、
前記照合の結果を出力する結果出力部と
を備えることを特徴とする生体認証装置。
【００８７】
（付記１３）
前記生体認証装置は、さらに、
前記変更後情報を読み取る読取部
を備えることを特徴とする付記１２に記載の生体認証装置。
【００８８】
（付記１４）
付記１から付記１１のいずれかに記載の生体情報変更フィルタで変更された前記変更後情報を読み取る読取部と、
前記変更後情報を出力する読取情報出力部と
を備えることを特徴とする生体情報読取装置。
【００８９】
（付記１５）
付記１から付記１１のいずれかに記載の生体情報変更フィルタと、
付記１２に記載の生体認証装置と、
付記１４に記載の生体情報読取装置と
を備え、
前記生体情報変更フィルタは、前記生体情報読取装置へ前記変更後情報を出力し、
前記生体情報読取装置は、前記変更後情報を前記生体認証装置へ出力する
ことを特徴とする生体認証システム。
【００９０】
（付記１６）
付記１から付記１１のいずれかに記載の生体情報変更フィルタと、
付記１３に記載の生体認証装置と
を備え、
前記生体情報変更フィルタは、前記生体認証装置へ前記変更後情報を出力する
ことを特徴とする生体認証システム。
【００９１】
（付記１７）
付記１から付記１１のいずれかに記載の生体情報変更フィルタにより、前記生体情報を変更する
ことを特徴とする生体情報変更方法。
【００９２】
（付記１８）
付記１から付記１１のいずれかに記載の生体情報変更フィルタで変更された前記変更後情報と、あらかじめ取得しておいた照合用生体情報とを照合し、前記照合の結果を出力する
ことを特徴とする生体認証方法。
【００９３】
（付記１９）
前記生体認証方法は、さらに、前記変更後情報を読み取る
ことを特徴とする付記１８に記載の生体認証方法。
【００９４】
（付記２０）
付記１から付記１１のいずれかに記載の生体情報変更フィルタで変更された前記変更後情報を読み取り、前記変更後情報を出力する
ことを特徴とする生体情報読取方法。
【００９５】
（付記２１）
コンピュータに、
生体情報を読み取る読取機能と、
前記生体情報を変更後情報へ、前記生体情報の集合から前記変更後情報の集合への写像が全射となる変更を行う変更機能と、
前記変更後情報を出力する出力機能と
を実現させ、
前記変更後情報の集合の要素の数は複数である
ことを特徴とする生体情報変更プログラム。
【００９６】
（付記２２）
前記変更機能は、前記生体情報の読取範囲を限定する前記変更を行う
ことを特徴とする付記２１に記載の生体情報変更プログラム。
【００９７】
（付記２３）
前記変更機能は、前記生体情報を変更関数により変更する
ことを特徴とする付記２１あるいは付記２２に記載の生体情報変更プログラム。
【００９８】
（付記２４）
前記生体情報は、前記生体情報を読み取らせる人体部位に電磁波を照射して前記電磁波の透過有無により取得される画像情報であり、
前記出力機能は、電圧印加の有無により前記電磁波の透過と非透過が切り替わる液晶パネルにより構成された透過型ディスプレイに、前記変更後情報を出力する
ことを特徴とする付記２１から付記２３のいずれかに記載の生体情報変更プログラム。
【００９９】
（付記２５）
前記生体情報は、電磁波を受光するカメラで撮影される画像情報であり、
前記出力機能は、前記電磁波を出力するディスプレイに前記変更後情報を出力する
ことを特徴とする付記２１から付記２３のいずれかに記載の生体情報変更プログラム。
【０１００】
（付記２６）
コンピュータに、
付記１から付記１１のいずれかに記載の生体情報変更フィルタで変更された前記変更後情報と、あらかじめ取得しておいた照合用生体情報とを照合する照合機能と、
前記照合の結果を出力する結果出力機能と
を実現させることを特徴とする生体認証プログラム。
【０１０１】
（付記２７）
コンピュータに、さらに、
前記変更後情報を読み取る読取機能
を備えることを特徴とする付記２６に記載の生体認証プログラム。
【０１０２】
（付記２８）
コンピュータに、
付記１から付記１１のいずれかに記載の生体情報変更フィルタで変更された前記変更後情報を読み取る読取機能と、
前記変更後情報を出力する読取情報出力機能と
を実現させることを特徴とする生体情報読取プログラム。
【符号の説明】
【０１０３】
１０、２０    生体情報変更フィルタ
１１、２１    変更部
１２、２２    出力部
２３    読取部
３０    生体情報読取装置
３１    読取部
３２    読取情報出力部
４０、５０    生体認証装置
５１    読取部
４３    照合部
４４    照合結果出力部
【図１】
2020170548.tif 000003
【図２】
2020170548.tif 000004
【図３】
2020170548.tif 000005
【図４】
2020170548.tif 000006
【図５】
2020170548.tif 000007
【図６】
2020170548.tif 000008
【図７】
2020170548.tif 000009
【図８】
2020170548.tif 000010
【図９】
2020170548.tif 000011
【図１０】
2020170548.tif 000012
【図１１】
2020170548.tif 000013
【図１２】
2020170548.tif 000014
【図１３】
2020170548.tif 000015